(57)【要約】【課題】調味容器の口部に装着して、調味液を食品に塗りつけるための刷毛付きキャップにつき、ねじ機構を用いることなく、ほぼワンタッチで調味容器の口部に装着可能とする。【解決手段】刷毛付きキャップ１０のキャップ本体１１および刷毛部１２を、軟質の合成樹脂から一体成型し、そのキャップ本体１１の装着口１４を通じて差込孔１３に調味容器の口部を差し込むことで、弾性的にはめ込み可能とする。調味容器の口部に弾性的にはめ込むだけであるから、使い捨てタイプの調味容器のような口部の寸法の小さく、弾性変形するものであっても、装着作業が用意であり、キャップ本体１１の弾性変形により調味容器の変形量を吸収するため脱落が防止される。【選択図】図１
2014148320.tif 000002
【特許請求の範囲】
【請求項１】
調味液が収納された調味容器の口部に装着可能な刷毛付きキャップであって、
背面側から正面側にかけて貫通し、その背面側に開口する装着口から調味容器の口部を差し込み可能であり、正面側に開口する注出口から前記調味容器の調味液を注出可能な差込孔、を有するキャップ本体と、
前記キャップ本体の正面側に前記注出口を取り囲むように植設された刷毛部と、を備え、
前記キャップ本体および前記刷毛部は軟質の合成樹脂から一体に成型されており、前記差込孔に前記調味容器の口部を差し込んだ状態で、キャップ本体は調味容器の口部に弾性的に嵌合可能となっている刷毛付きキャップ。
【請求項２】
前記軟質の合成樹脂は、シリコンゴムである請求項１に記載の刷毛付きキャップ。
【請求項３】
ＪＩＳ  Ｋ  ６２５３に基づくタイプＡデュロメータ硬さが４０〜９０である請求項１または２に記載の刷毛付きキャップ。
【請求項４】
前記注出口は、近接して対向する一対のフラップからなる逆止弁を有し、その一対のフラップが離れることで前記差込孔の装着口から注出口に向かう調味液の流通を許容し、その一対のフラップが突き合うことで前記差込孔の注出口から装着口に向う調味液の流通を阻止する請求項１から３のいずれかに記載の刷毛付きキャップ。
【発明の詳細な説明】
【技術分野】
【０００１】
本発明は、調味容器の口部に装着して、調味液を食品に塗りつけるための刷毛付きキャップに関する。
【背景技術】
【０００２】
醤油などの調味液が収納されたガラス瓶などの調味容器の、調味液が注出される口部に対して装着され、付属する刷毛によって握り寿司等の食品に調味液を塗り付けるために用いられる刷毛付きキャップが知られている。
【０００３】
従来のこの種の刷毛付きキャップは、特許文献１のように、円筒形のキャップ本体と、キャップ本体に植設された刷毛部と、を有する。キャップ本体の一方の端面は、注出孔を除いて閉塞されており、刷毛部はこのキャップ本体の閉塞側の端面に、注出孔を取り囲むようにして植設されている。
使用の際には、キャップ本体を調味容器の口部に被せた状態で固定し、たとえば調味容器を逆さにすると、調味容器の口部からキャップ本体の注出孔を経て調味液が刷毛部へと供給される。そして、刷毛部を食品の外面をなぞるようにして動かすと、刷毛に含まれた調味液が食品に塗りつけられることになる。
【０００４】
ここで従来の刷毛付きキャップにおけるキャップ本体は、比較的硬質の合成樹脂や金属から形成されて、ほとんど弾性変形できないようになっている。そして、キャップ本体の調味容器の口部に対する固定は、キャップ本体の内周に形成されたねじ部を、調味容器の口部の外周に形成されたねじ部にねじ合わせることによっていた。
【先行技術文献】
【特許文献】
【０００５】
【特許文献１】特開２０１０‐２２８８０９号公報
【発明の概要】
【発明が解決しようとする課題】
【０００６】
しかし、刷毛付きキャップを調味容器の口部に装着したり、口部から取り外したりするたびに、ねじ部同士をねじ合わせたり緩ませたりする作業をおこなうのは手間がかかる。
特に調味容器が使い捨てタイプの調味容器の場合、小型でその口部の寸法も小さいことから、口部にねじ合わせる作業が難しい。
また、使い捨てタイプの調味容器は、容器が比較的軟質の合成樹脂等から形成されて、その全体を指等によって押し潰す方向に弾性変形させることで調味液を口部から注出する仕組みになっている。そのため、その口部に刷毛付きキャップをねじあわせても、調味容器が使用時に弾性変形することで、ねじ部が勝手に緩んで刷毛付きキャップが口部から外れてしまうおそれがある。
【０００７】
そこで本発明の解決すべき課題は、刷毛付きキャップについて、ねじ機構を用いることなく、ほぼワンタッチで調味容器の口部に装着可能とすることである。
【課題を解決するための手段】
【０００８】
上記した課題を解決するため、本発明の刷毛付きキャップのキャップ本体および刷毛部を、軟質の合成樹脂から一体成型し、そのキャップ本体を調味容器の口部に弾性的にはめ込み可能に構成したのである。
【０００９】
より具体的には、発明にかかる刷毛付きキャップとして、背面側から正面側にかけて貫通し、その背面側に開口する装着口から調味容器の口部を差し込み可能であり、正面側に開口する注出口から前記調味容器の調味液を注出可能な差込孔を有するキャップ本体と、前記キャップ本体の正面側に前記注出口を取り囲むように植設された刷毛部と、を備え、前記キャップ本体および前記刷毛部は軟質の合成樹脂から一体に成型されており、前記差込孔に前記調味容器の口部を差し込んだ状態で、キャップ本体は調味容器の口部に弾性的に嵌合可能となっている構成を採用したのである。
【００１０】
ここで刷毛付きキャップを構成する軟質の合成樹脂は、比較的安価で人体に無害であり変性しにくいことから、シリコンゴムであるのが好ましい。また刷毛付きキャップは、柔らかすぎると調味容器の口部から外れやすく、硬すぎると調味容器の口部に装着し難いため、ＪＩＳ  Ｋ  ６２５３に基づくタイプＡデュロメータ硬さが４０〜９０で、好ましくは５０〜８０であるのが好ましい。
【００１１】
キャップ本体の注出口は、近接して対向する一対のフラップからなる逆止弁を有し、その一対のフラップが離れることで前記差込孔の装着口から注出口に向かう調味液の流通を許容し、その一対のフラップが突き合うことで前記差込孔の注出口から装着口に向う調味液の流通を阻止するのが、調味液逆流を防ぎその鮮度を維持できるため好ましい。
【発明の効果】
【００１２】
発明にかかる刷毛付きキャップを以上のように軟質の合成樹脂から一体成型し、そのキャップ本体を調味容器の口部に弾性的にはめ込み可能に構成したので、ねじ合わせ作業等を要することなく、ほぼワンタッチで口部に装着可能となる。
【００１３】
調味容器の口部に弾性的にはめ込むだけであるから、使い捨てタイプの調味容器のような口部の寸法の小さなものでも、作業が容易である。また、使い捨てタイプの調味容器のように、弾性変形するものであっても、刷毛付きキャップも追従して弾性変形することで調味容器の変形量を吸収するため、不用意に調味容器から脱落することも防がれる。
【図面の簡単な説明】
【００１４】
【図１】実施形態の刷毛付きキャップの斜視図
【図２】実施形態の刷毛付きキャップの、（ａ）は横断面図、（ｂ）は縦断面図
【図３】実施形態の刷毛付きキャップの正面図
【図４】実施形態の刷毛付きキャップの調味容器への装着状態を示す斜視図
【図５】実施形態の刷毛付きキャップの調味容器への装着状態における要部縦断面図
【発明を実施するための形態】
【００１５】
以下、図面を参照しつつ本発明の実施形態について説明する。
図１から図３に示す実施形態の刷毛付きキャップ１０は、図４および図５に示すように使い捨てタイプの調味容器２０の口部２２に好適に装着されるものであり、全体が軟質の合成樹脂から一体成型されて弾性変形可能である。そのため、調味容器２０の口部２２へ弾性的に嵌合可能であり、取り付けおよび取り外しがほぼワンタッチでおこなえるようになっている。
【００１６】
図１から図３に示すように、実施形態の刷毛付きキャップ１０は、キャップ本体１１と、刷毛部１２と、からなる。
【００１７】
キャップ本体１１の形状は特に限定されないが、この実施形態では図示のように扁平なブロック体であって、内部に差込孔１３が形成されている。
差込孔１３は、キャップ本体１１の背面（図１および図２では上面）から正面（図１および図２では底面）にかけて貫通するように形成されている。そして、背面側の開口が装着口１４となり、正面側の開口が注出口１５となっている。この差込孔１３には、装着口１４を通じて調味容器２０の口部２２を差し込み可能となっている。
【００１８】
差込孔１３の形状は、調味容器２０の口部２２を差込可能である限りにおいて、特に限定されないが、この実施形態では、図１および図２のように。円柱形となっている。
図１および図２のように、装着口１４は、差込孔１３から円錐形に広がって開口しており、キャップ本体１１の両側面部において略三角形に開放されて切り欠き部１４ａを構成している。
また図２および図３のように、注出口１５はスリット形、すなわち細長い矩形に開口しており、その開口縁に対向する一対のフラップ１５ａが形成されている。さらに図３のように、注出口１５は、その長手方向の中間部が差込孔１３と連通している。図２（ｂ）のように、両フラップ１５ａ間の距離は、開口から奥側に向けて狭まっている。
【００１９】
図３のように、多数の起毛からなる刷毛部１２は、注出口１５を取り囲むように方環形に植設されている。刷毛部１２の起毛の断面形状、径、長さ、本数等は特に限定されないが、この実施形態では、起毛の断面形状は円形、長さはキャップ本体１１の正面から背面方向の長さよりも若干小さくなっている。
【００２０】
実施形態の刷毛付きキャップ１０におけるキャップ本体１１と刷毛部１２とは、金型を用いるなどして、軟質の合成樹脂により一体に成型されており、適度に弾性変形可能となっている。
このような軟質の合成樹脂の種類は特に限定されないが、シリコンゴムが、比較的安価であり、人体にも無害であり、変性しにくいため好ましい。
また実施形態の刷毛付きキャップ１０の硬度も特に限定されないが、ＪＩＳ  Ｋ  ６２５３に基づくタイプＡデュロメータ硬さが４０〜９０で、好ましくは５０〜８０であると、調味容器２０に装着しやすく、かつ調味容器２０から外れにくいため好ましい。
【００２１】
実施形態の刷毛付きキャップ１０の構成は以上のようであり、次に図４および図５を参照してその使用方法について説明する。
【００２２】
実施形態の刷毛付きキャップ１０は、図４のような使い捨てタイプの調味容器２０の口部２２への装着に好適に用いられる。
調味容器２０は、容器本体２１が魚を模した扁平な形状に形成されており、その魚の口に相当する箇所から円筒形の口部２２が突出している。この口部２２の外周には、ねじ部２２ａが形成されており、運搬時や保管時は、図示省略の封緘キャップをねじ込むことで封緘されている。容器本体２１には、醤油などの調味液が収納されている。
【００２３】
図４のように、封緘キャップを取り外した調味容器２０の口部２２を、実施形態の刷毛付きキャップ１０のキャップ本体１１の背面側に開口する装着口１４を通じて、差込孔１３へと差し込む。
こうして図５のように、調味容器２０の口部２２が差込孔１３に収容され、容器本体２１の先端部が装着口１４に収容された状態で、弾性変形可能なキャップ本体１１は、調味容器２０の外面に弾性的に嵌合するため、ほぼワンタッチで装着が完了する。
ここで差込孔１３の径や装着口１４の寸法を、調味容器２０の口部２２の外径や容器本体２１の先端部の寸法よりも若干小さめに形成しておくと、キャップ本体１１の復元弾性により嵌合力をより高めることができる。またキャップ本体１１を強めに引っ張ることで、ほぼワンタッチで実施形態の刷毛付きキャップ１０を調味容器２０から取り外すことが可能となる。
図４では、調味容器２０と実施形態の刷毛付きキャップ１０とは、その容器本体２１とキャップ本体１１の扁平につぶれた方向が一致するように（平行になるように）して、装着がおこなわれているが、容器本体とキャップ本体の扁平につぶれた方向とが交差するように（直交するように）して、装着をおこなうこともできる。その場合には、キャップ本体１１に切り欠き部１４ａが存在するため、容器本体２１の先端部はこの切り欠き部１４ａを挿通し、キャップ本体１１と干渉することが防止されている。
【００２４】
調味容器２０に実施形態の刷毛付きキャップ１０を装着した状態で、調味容器２０の容器本体２１を指でつまんで押し潰す向きに変形させる。すると、その口部２２から調味液が吐出され、この調味液はキャップ本体１１の差込孔１３を流通し、注出口１５から注出される。
このとき、注出口１５の開口縁に形成されたフラップ１５ａは、調味容器２０の口部２２から吐出される調味液の外向きの流圧により、離間する向きに弾性変形する。そのため、注出口は開いて調味液の流通が阻害されることはない。なお、調味容器２０が指等の押圧により変形した場合には、実施形態の刷毛付きキャップ１０も弾性変形してその変形量を吸収し調味容器２０の外面形状に追随するため、刷毛付きキャップ１０が外れることが防止されている。
一方、調味液が注出口１５から調味容器２０の側に向けて逆流しそうになると、一対のフラップ１５ａは、その調味液の内向きの流圧によって、接近する向きに弾性変形して突き合い、注出口は閉じられるため、逆流が阻止される。
すなわち、一対のフラップ１５ａは、逆止弁として機能している。
【００２５】
キャップ本体１１の注出口１５から注出された調味液は、注出口１５を取り囲むように植設された刷毛部１２に含まれる。握り寿司等の食品の外面を刷毛部１２でなぞるように実施形態の刷毛付きキャップ１０を調味容器２０ごと動かすと、食品に調味液が塗りつけられる。
【００２６】
今回開示された実施形態はすべての点で例示であって制限的なものではないと考慮されるべきである。本発明の範囲は特許請求の範囲によって示され、特許請求の範囲と均等の意味および範囲内でのすべての修正と変形を含むものであることが意図される。
【００２７】
キャップ本体１０の装着口１４の形状は、調味容器２０の先端部を収容可能である限りにおいて、実施形態の円錐形には限定されず、円柱形などでもよい。
またキャップ本体１０の注出口１５の形状も、調味液を注出可能である限りにおいて、実施形態のスリット形には限定されず、円形などでもよい。逆止弁としての一対のフラップ１５ａは、省略可能である。
調味容器２０の形状、材質等も実施形態には限定されず、円筒形であったり、硬質の合成樹脂から形成されていたり、据え置きタイプのものであったりしてもよい。
【符号の説明】
【００２８】
１０  実施形態の刷毛付きキャップ
１１  キャップ本体
１２  刷毛部
１３  差込孔
１４  装着口
１４ａ  切り欠き部
１５  注出口
１５ａ  フラップ
２０  調味容器
２１  容器本体
２２  口部
２２ａ  ねじ部
【図１】
2014148320.tif 000003
【図２】
2014148320.tif 000004
【図３】
2014148320.tif 000005
【図４】
2014148320.tif 000006
【図５】
2014148320.tif 000007